(57)【要約】【課題】ボックスの傾きにかかわらず、フェースプレートの傾きを調整することができるエレベータ用機器箱、及びエレベータ用機器箱の取付方法を得る。【解決手段】エレベータ用機器箱は、開口部２１が設けられたボックス２２と、ボックス２２内に設けられ、ボックス２２の奥行き方向に沿って設けられた中央スタッドねじ３１を中心に回動可能な取付金具２３と、ボックス２２に対する取付金具２３の位置を固定可能な取付金具固定ナット２４と、取付金具２３に保持され、開口部２１を覆うフェースプレート２５とを備えている。【選択図】図３
2013220881.tif 000002
【特許請求の範囲】
【請求項１】
開口部が設けられたボックス、
上記ボックス内に設けられ、上記ボックスの奥行き方向に沿って設けられた支持軸を中心に回動可能な回動体、
上記ボックスに対する上記回動体の位置を固定可能な回動体固定具、及び
上記回動体に保持され、上記開口部を覆うフェースプレート
を備えていることを特徴とするエレベータ用機器箱。
【請求項２】
上記回動体は、上記支持軸に回動可能に設けられた回動体本体と、上記回動体本体にそれぞれ設けられ、上記回動体本体に対して上記ボックスの奥行き方向へ変位可能な一対のスライダと、上記回動体本体に対する各上記スライダの位置を個別に固定可能な一対のスライダ固定具とを有し、
上記フェースプレートは、上記一対のスライダに保持されていることを特徴とする請求項１に記載のエレベータ用機器箱。
【請求項３】
上記回動体には、上記ボックスの奥行き方向に対して交差する突出部が設けられ、
上記フェースプレートは、上記開口部を覆うカバー板と、上記カバー板の裏面に設けられ、上記突出部に係合することにより、上記回動体と一体に変位されるように上記カバー板を上記回動体に保持する保持具とを有していることを特徴とする請求項１又は請求項２に記載のエレベータ用機器箱。
【請求項４】
開口部が設けられたボックスを壁に取り付けるボックス取付工程、
上記ボックス取付工程後、回動体を、上記ボックス内で支持軸を中心に回動させながら、上記ボックスに対する上記回動体の傾きを調整する回動体傾斜調整工程、
上記回動体傾斜調整工程後、上記ボックスに対する上記回動体の位置を回動体固定具により固定する回動体位置固定工程、及び
上記回動体位置固定工程後、上記フェースプレートを上記回動体に保持させ、上記開口部を上記フェースプレートで覆うフェースプレート取付工程
を備えていることを特徴とするエレベータ用機器箱の取付方法。
【発明の詳細な説明】
【技術分野】
【０００１】
この発明は、例えば乗場やかご内の壁等に設けられ、例えば位置表示器や呼びボタン等の機器が設置されるエレベータ用機器箱、及びエレベータ用機器箱の取付方法に関するものである。
【背景技術】
【０００２】
従来、ケースの開口部を覆うカバーの表面にねじ等が露出することを防止するために、ケースの内面からピンを突出させるとともに、カバーの裏面にくの字に形成した弾性体を設け、カバーをケースの開口部に向けて押しながら弾性体をピンに係合させることにより、ケースの開口部を覆う位置にカバーを保持するようにしたエレベータ用器具箱が提案されている。従来のエレベータ用器具箱は、呼びボタン等をカバーに取り付けた状態で乗場壁に取り付けられる（例えば特許文献１及び２参照）。
【先行技術文献】
【特許文献】
【０００３】
【特許文献１】実公昭６２−３２２１６号公報
【特許文献２】特開平２−２７６７８２号公報
【発明の概要】
【発明が解決しようとする課題】
【０００４】
しかし、従来のエレベータ用器具箱では、ケースがエレベータの乗場壁に傾いて取り付けられた場合には、カバーに取り付けられた呼びボタンや、ケースの開口部を覆うカバーも、ケースと同様に傾いてしまう。
【０００５】
この発明は、上記のような課題を解決するためになされたものであり、ボックスの傾きにかかわらず、フェースプレートの傾きを調整することができるエレベータ用機器箱、及びエレベータ用機器箱の取付方法を得ることを目的とする。
【課題を解決するための手段】
【０００６】
この発明に係るエレベータ用機器箱は、開口部が設けられたボックス、ボックス内に設けられ、ボックスの奥行き方向に沿って設けられた支持軸を中心に回動可能な回動体、ボックスに対する回動体の位置を固定可能な回動体固定具、及び回動体に保持され、開口部を覆うフェースプレートを備えている。
【０００７】
この発明に係るエレベータ用機器箱の取付方法は、開口部が設けられたボックスを壁に取り付けるボックス取付工程、ボックス取付工程後、回動体を、ボックス内で支持軸を中心に回動させながら、ボックスに対する回動体の傾きを調整する回動体傾斜調整工程、回動体傾斜調整工程後、ボックスに対する回動体の位置を回動体固定具により固定する回動体位置固定工程、及び回動体位置固定工程後、フェースプレートを回動体に保持させ、開口部をフェースプレートで覆うフェースプレート取付工程を備えている。
【発明の効果】
【０００８】
この発明に係るエレベータ用機器箱、及びエレベータ用機器箱の取付方法によれば、ボックス内の支持軸を中心に回動体を回動させることにより、ボックスの傾きにかかわらず、ボックスに対するフェースプレートの傾きを調整することができる。
【図面の簡単な説明】
【０００９】
【図１】この発明の実施の形態１によるエレベータの乗場出入口を示す正面図である。
【図２】図１の乗場操作盤を示す正面図である。
【図３】図２のIII-III線に沿った断面図である。
【図４】図２の取付金具を示す分解斜視図である。
【図５】図２の機器箱の下部を示す正面図である。
【図６】図２のVI-VI線に沿った断面図である。
【図７】図３のフェースプレートがボックスから手前に引き出された状態を示す断面図である。
【図８】図７のVIII-VIII線に沿った断面図である。
【図９】図２の機器箱が鉛直線に対して角度θ１だけ傾いている状態を示す正面図である。
【図１０】図９のX-X線に沿った断面図である。
【図１１】図９のフェースプレートを機器箱から外した状態を示す正面図である。
【図１２】図１１のXII-XII線に沿った断面図である。
【図１３】図９のフェースプレートが鉛直線に沿って配置された状態を示す正面図である。
【図１４】図３のフェースプレートが取付金具から取り外され、かつボックスが乗場壁の表面に対して奥行き方向について角度θ２だけ傾いている状態を示す断面図である。
【図１５】図１４のXV-XV線に沿った断面図である。
【図１６】図１４の取付金具にフェースプレートを取り付けた状態を示す断面図である。
【図１７】図１６のXVII-XVII線に沿った断面図である。
【発明を実施するための形態】
【００１０】
実施の形態１．
図１は、この発明の実施の形態１によるエレベータの乗場出入口を示す正面図である。乗場壁１には、一対の乗場の戸２により開閉される乗場出入口３が設けられている。乗場出入口３の上部及び両側部には三方枠４が設けられ、乗場出入口３の下部には乗場床５が設けられている。また、乗場壁１には、乗場操作盤６が取り付けられている。乗場操作盤６は、乗場出入口３の側方に配置されている。
【００１１】
図２は、図１の乗場操作盤６を示す正面図である。また、図３は、図２のIII-III線に沿った断面図である。図において、乗場操作盤６は、乗場壁１に設けられた機器箱（エレベータ用機器箱）１１と、機器箱１１にそれぞれ取り付けられ、乗場に向けて露出される機器であるインジケータ（表示器）１２及びボタン装置１３とを有している。
【００１２】
機器箱１１は、開口部２１が設けられたボックス２２と、ボックス２２内に設けられ、ボックス２２に対して回動可能な取付金具（回動体）２３と、ボックス２２に対する取付金具２３の位置を固定可能な複数（この例では、３つ）の取付金具固定ナット（回動体固定具）２４と、取付金具２３に保持され、ボックス２２の開口部２１を覆うフェースプレート２５とを有している。
【００１３】
インジケータ１２及びボタン装置１３は、フェースプレート２５にそれぞれ取り付けられている。また、インジケータ１２及びボタン装置１３のそれぞれの裏面には、エレベータの制御盤（図示せず）に電気的に接続された電線ケーブル１６が接続されている。
【００１４】
インジケータ１２は、エレベータの制御盤の制御により、エレベータの運転に関する情報を表示する。この例では、かごが存在する階を示す数字と、かごの移動方向を示す矢印とがインジケータ１２に表示される。
【００１５】
ボタン装置１３は、乗場の乗客により操作される上方向ボタン１４及び下方向ボタン１５を有している。上方向ボタン１４及び下方向ボタン１５の少なくともいずれかが乗場から操作されると、操作されたボタンに応じた信号がボタン装置１３から制御盤へ送られる。制御盤は、ボタン装置１３からの信号を受けると、ボタン装置１３からの信号に応じたエレベータの呼び登録を行う。
【００１６】
乗場壁１には、乗場側に開放された空間部が設けられている。ボックス２２は、開口部２１を乗場に向けた状態で乗場壁１の空間部内に設置されている。また、ボックス２２は、乗場壁１内の金属製の固定プレート（図示せず）に溶接等により取り付けられている。
【００１７】
ボックス２２は、上板２２ａと、下板２２ｂと、一対の側板２２ｃと、背板２２ｄとにより構成された直方体状の容器である。上板２２ａ及び下板２２ｂは、ボックス２２の高さ方向について互いに対向している。一対の側板２２ｃは、ボックス２２の幅方向について互いに対向している。開口部２１は、上板２２ａ、下板２２ｂ及び各側板２２ｃに囲まれて形成されている。背板２２ｄは、ボックス２２の奥行き方向後端部で開口部２１に対面して配置されている。
【００１８】
ボックス２２の背板２２ｄには、支持軸としての中央スタッドねじ３１と、中央スタッドねじ３１から上方及び下方にそれぞれ離して配置された一対の固定用スタッドねじ３２と、中央スタッドねじ３１及び各固定用スタッドねじ３２のそれぞれの位置を避けて背板２２ｄを貫通するボックス側ケーブル通し穴３３とが設けられている。
【００１９】
中央スタッドねじ３１は、ボックス２２の高さ方向中央部に配置されている。一対の固定用スタッドねじ３２は、ボックス２２の高さ方向について、中央スタッドねじ３１に関して対称位置に配置されている。中央スタッドねじ３１及び各固定用スタッドねじ３２は、背板２２ｄから開口部２１に向かってボックス２２の奥行き方向に沿って突出した状態でボックス２２内にそれぞれ設けられている。ボックス側ケーブル通し穴３３には、インジケータ１２及びボタン装置１３のそれぞれからの電線ケーブル１６が通されている。
【００２０】
ここで、図４は、図２の取付金具２３を示す分解斜視図である。取付金具２３は、ボックス２２に対して回動可能な断面コ字状の取付金具本体４１と、取付金具本体４１にそれぞれ設けられ、取付金具本体４１に対してボックス２２の奥行き方向へ変位可能な一対のスライダ４２と、取付金具本体４１に対する各スライダ４２の位置を個別に固定可能な複数（この例では、各スライダ４２に２つずつ）のスライダ固定ナット（スライダ固定具）４３とを有している。
【００２１】
取付金具本体４１は、背板２２ｄに重なった状態でボックス２２内に配置される長方形状の主板４１ａと、主板４１ａの長さ方向両端部に設けられ、開口部２１に向けて主板４１ａからそれぞれ突出する上部スライダ取付板４１ｂ及び下部スライダ取付板４１ｃ（一対のスライダ取付部）とを有している。取付金具本体４１は、主板４１ａの長さ方向をボックス２２の高さ方向に合わせてボックス２２内に配置される。
【００２２】
主板４１ａには、中央スタッドねじ３１が通される丸穴である軸通し穴４５と、各固定用スタッドねじ３２が個別に通される一対の回動規制穴４６と、ボックス側ケーブル通し穴３３の位置に合わせて主板４１ａを貫通する取付金具側ケーブル通し穴４７とが設けられている。
【００２３】
軸通し穴４５は、主板４１ａの長さ方向中央部に設けられている。一対の回動規制穴４６は、主板４１ａの長さ方向について、軸通し穴４５に関して対称位置に設けられている。また、各回動規制穴４６は、軸通し穴４５を中心とする円弧状の長穴とされている。取付金具側ケーブル通し穴４７には、インジケータ１２及びボタン装置１３のそれぞれからの電線ケーブル１６が通されている。
【００２４】
上部スライダ取付板４１ｂ及び下部スライダ取付板４１ｃは、主板４１ａの長さ方向について互いに対向している。上部スライダ取付板４１ｂには、下部スライダ取付板４１ｃに向かって突出する突出部である一対の上部スタッドねじ４８が取付金具本体４１の幅方向について互いに離して設けられている。下部スライダ取付板４１ｃには、上部スライダ取付板４１ｂに向かって突出する突出部である一対の下部スタッドねじ４９が取付金具本体４１の幅方向について互いに離して設けられている。従って、各上部スタッドねじ４８及び各下部スタッドねじ４９の突出方向は、ボックス２２の奥行き方向に対して交差する方向となっている。この例では、各上部スタッドねじ４８及び各下部スタッドねじ４９の突出方向が、ボックス２２の奥行き方向に対して垂直な方向になっている。
【００２５】
取付金具本体４１は、中央スタッドねじ３１が軸通し穴４５に通され、かつ一対の固定用スタッドねじ３２が各回動規制穴４６に個別に通された状態で、中央スタッドねじ３１を中心に回動可能になっている。回動規制穴４６に対する案内スタッドねじ３２の位置は、取付金具本体４１の回動に応じて移動する。
【００２６】
各スライダ４２は、上部スライダ取付板４１ｂ及び下部スライダ取付板４１ｃに個別に設けられている。これにより、各スライダ４２は、取付金具本体４１の長さ方向について互いに離して配置されている。また、各スライダ４２は、ボックス２２の奥行き方向に対して交差する方向へ突出する突出部であるプレート保持用スタッドねじ５１と、ボックス２２の奥行き方向に沿った長穴である一対のスライダ案内穴５２とが設けられた矩形状の平板である。
【００２７】
各スライダ４２は、プレート保持用スタッドねじ５１を取付金具本体４１の長さ方向について互いに対向させて配置されている。従って、取付金具２３がボックス２２内に取り付けられている状態では、各プレート保持用スタッドねじ５１はボックス２２の奥行き方向に対して垂直に配置されている。
【００２８】
上部スライダ取付板４１ｂに取り付けられた一方のスライダ４２の各スライダ案内穴５２には、上部スタッドねじ４８がそれぞれ挿入されている。これにより、一方のスライダ４２は、スライダ案内穴５２を上記スタッドねじ４８で案内させながら、上部スライダ取付板４１ｂに対してボックス２２の奥行き方向へスライド（変位）可能になっている。
【００２９】
下部スライダ取付板４１ｃに取り付けられた他方のスライダ４２の各スライダ案内穴５２には、下部スタッドねじ４９がそれぞれ挿入されている。これにより、他方のスライダ４２は、スライダ案内穴５２を下部スタッドねじ４９で案内させながら、下部スライダ取付板４１ｃに対してボックス２２の奥行き方向へスライド（変位）可能になっている。
【００３０】
このように、ボックス２２に対する高さ方向に対する取付金具本体４１の傾きは、中央スタッドねじ３１を中心とする取付金具本体４１の回動により調整可能になっている。また、ボックス２２の奥行き方向についてのボックス２２に対する各スライダ４２の位置は、取付金具本体４１に対してスライダ４２をスライドさせることにより調整可能になっている。
【００３１】
スライダ固定ナット４３は、各上部スタッドねじ４８及び各下部スタッドねじ４８のそれぞれに螺合されている。上部スライダ取付板４１ｂに取り付けられた一方のスライダ４２は、上部スタッドねじ４８に螺合されたスライダ固定ナット４３を締め付けることにより上部スライダ取付板４１ｂに固定され、上部スタッドねじ４８に螺合されたスライダ固定ナット４３を緩めることにより上部スライダ取付板４１ｂに対してスライド（変位）可能になる。下部スライダ取付板４１ｃに取り付けられた他方のスライダ４２は、下部スタッドねじ４９に螺合されたスライダ固定ナット４３を締め付けることにより下部スライダ取付板４１ｃに固定され、下部スタッドねじ４９に螺合されたスライダ固定ナット４３を緩めることにより下部スライダ取付板４１ｃに対してスライド（変位）可能になる。
【００３２】
取付金具固定ナット２４は、図２及び図３に示すように、中央スタッドねじ３１及び各固定用スタッドねじ３２のそれぞれに螺合されている。取付金具２３は、中央スタッドねじ３１及び各固定用スタッドねじ３２に螺合された各取付金具固定ナット２４をそれぞれ締め付けることによりボックス２２に対して固定され、各取付金具固定ナット２４を緩めることによりボックス２２に対して中央スタッドねじ３１を中心に回動可能になる。
【００３３】
フェースプレート２５は、図２及び図３に示すように、ボックス２２の開口部２１を覆う矩形状のカバー板６１と、カバー板６１の裏面に互いに離して設けられ、各プレート保持用スタッドねじ５１に個別に係合することにより、取付金具２３と一体に変位されるようにカバー板６１を取付金具２３に保持する一対の保持具６２とを有している。
【００３４】
インジケータ１２及びボタン装置１３は、カバー板６１にそれぞれ取り付けられている。また、カバー板６１は、ボックス２２の開口部２１と、ボックス２２が設置された乗場壁１の空間部とをまとめて覆う大きさとなっている。
【００３５】
一方の保持具６２はカバー板６１の長さ方向一端部の裏面に設けられ、他方の保持具６２はカバー板６１の長さ方向他端部の裏面に設けられている。各保持具６２は、カバー板６１の長さ方向についてカバー板６１の中心に関して対称位置に配置されている。各保持具６２は、カバー板６１が開口部２１に近づく方向へ押されて変位されることにより、各スライダ４２に沿ってボックス２２内に挿入される。各保持具６２は、各スライダ４２に沿ってボックス２２内に挿入されることにより各プレート保持用スタッド５１に係合される。フェースプレート２５は、ボックス２２内の上部及び下部で保持具６２がプレート保持用スタッドねじ５１に係合されることにより取付金具２３に保持される。各保持具６２の構成は、互いに同じ構成となっている。
【００３６】
図５は、図２の機器箱１１の下部を示す正面図である。また、図６は、図２のVI-VI線に沿った断面図である。各保持具６２は、カバー板６１の裏面から突出する一対のカバー板スタッドねじ６５と、各カバー板スタッドねじ６５に螺合された保持具固定ナット６６とにより、カバー板６１の裏面に取り付けられている。
【００３７】
各保持具６２は、スライダ４２から突出するプレート保持用スタッドねじ５１にそれぞれ係合する案内片６３及び押さえばね（弾性体）６４を有している。
【００３８】
案内片６３は、カバー板６１の裏面に対向する板状の取付部６３ａと、取付部６３ａに設けられ、スライダ４２に沿って配置される板状の案内部６３ｂとを有している。
【００３９】
取付部６３ａには、各カバー板スタッドねじ６５が個別に通される一対のねじ通し穴（図示せず）と、押さえばね６４が通される弾性体通し穴６８（図５）とが設けられている。案内片６３は、各カバー板スタッドねじ６５に螺合された保持具固定ナット６６で取付部６３ａが締め付けられることによりカバー板６１の裏面に固定されている。
【００４０】
案内部６３ｂには、プレート保持用スタッドねじ５１が挿入されるスリット（凹部）６７が設けられている。スリット６７は、案内部６３ｂのカバー板６１から離れた側の端部で開放されている。案内片６３は、スリット６７にプレート保持用スタッドねじ５１を挿入させることにより、プレート保持用スタッドねじ５１に係合される。
【００４１】
押さえばね６４は、弾性を持つ線状部材を所定の形状に塑性変形により曲げて形成されている。また、押さえばね６４は、案内片６３の取付部６３ａとカバー板６１との間で挟持された挟持部６４ａと、カバー板６１の裏面に対して傾斜しながら挟持部６４ａの端部から延びる押さえ部６４ｂと、押さえ部６４ｂの端部に設けられ、ボックス２２から離れる方向（ボックス２２の手前）へのフェースプレート２５の変位によりプレート保持用スタッドねじ５１に引っ掛かる略Ｕ字状の鉤部６４ｃとを有している。取付部６３ａの弾性体通し穴６８には、押さえ部６４ｂが通されている。
【００４２】
押さえばね６４は、プレート保持用スタッドねじ５１に押されて弾性変形しながら、ボックス２２内に挿入される。ボックス２２の開口部２１がカバー板６１で覆われている状態では、図６に示すように、押さえ部６４ｂがプレート保持用スタッドねじ５１に押さえばね６４の弾性復元力で押し付けられている。押さえばね６４は、押さえ部６４ｂがプレート保持用スタッドねじ５１に押し付けられた状態でプレート保持用スタッドねじ５１に係合される。押さえばね６４は、押さえ部６４ｂをプレート保持用スタッドねじ５１に係合させることにより、フェースプレート２５を取付金具２３に保持する弾性復元力を発生する。
【００４３】
図７は、図３のフェースプレート２５がボックス２２から手前に引き出された状態を示す断面図である。また、図８は、図７のVIII-VIII線に沿った断面図である。フェースプレート２５がボックス２２の手前に引き出されるときには、プレート保持用スタッドねじ５１に案内片６３がスリット６７に沿って案内されながら、押さえ部６４ｂがプレート保持用スタッドねじ５１で押されて弾性変形される。フェースプレート２５がボックス２２の手前にさらに引き出されると、押さえ部６４ｂがプレート保持用スタッドねじ５１から外れて、鉤部６４ｃがプレート保持用スタッドねじ５１に引っ掛かる。
【００４４】
プレート保持用スタッドねじ５１に引っ掛かった鉤部６４ｃは、カバー板６１とボックス２２との間の空間から挿入したドライバ等を用いて、プレート保持用スタッドねじ５１から外れるようになっている。フェースプレート２５は、鉤部６４ｃがプレート保持用スタッドねじ５１から外れることにより、ボックス２２から外れるようになっている。
【００４５】
次に、乗場壁１に対して機器箱１１を取り付けるときの手順について説明する。まず、開口部２１を乗場に向けた状態でボックス２２を乗場壁１の空間部に設置する。このとき、空間部内の固定プレートにボックス２２を溶接等により固定する（ボックス取付工程）。
【００４６】
この後、軸通し穴４５に中央スタッドねじ３１を通すとともに、各回動規制穴４６に固定用スタッドねじ３２を通し、中央スタッドねじ３１及び各固定用スタッドねじ３２のそれぞれに取付金具固定ナット２４を螺合して締め付けることにより、取付金具２３をボックス２２内に取り付ける。このとき、取付金具２３の長さ方向は、ボックス２２の高さ方向に一致させておく（回動体取付工程）。
【００４７】
この後、フェースプレート２５を取付金具２３に保持させ、ボックス２２の開口部２１をフェースプレート２５で覆う。このとき、フェースプレート２５は、保持具６２の押さえばね６４をプレート保持用スタッドねじ５１に接触させ、案内片６３のスリット６７にプレート保持用スタッドねじ５１を挿入させた状態で、ボックス２２に近づく方向へカバー板６１を押すことにより、取付金具２３に保持させる。ボックス２２の開口部２１及び乗場壁１の空間部の開放部分は、取付金具２３に保持されたフェースプレート２５で覆われる（フェースプレート取付工程）。
【００４８】
図９は図２の機器箱１１が鉛直線に対して角度θ１だけ傾いている状態を示す正面図、図１０は図９のX-X線に沿った断面図である。また、図１１は図９のフェースプレート２５を機器箱１１から外した状態を示す正面図、図１２は図１１のXII-XII線に沿った断面図である。図９〜図１２に示すように、取付金具２３の長さ方向をボックス２２の高さ方向に一致させて取付金具２３をボックス２２内に取り付けている場合、ボックス２２の中心軸線Ａが鉛直線に対して角度θ１だけ傾くと、フェースプレート２５も鉛直線に対して角度θ１だけ傾く。従って、フェースプレート２５が乗場床５に対して傾くこととなり、乗場での意匠性が悪化してしまう。
【００４９】
ボックス取付工程、回動体取付工程及びフェースプレート取付工程を行った後に、フェースプレート２５が鉛直線に対して傾いている場合、フェースプレート２５の鉛直線に対する傾きは以下の手順で調整される。
【００５０】
まず、フェースプレート２５を取付金具２３から取り外す（フェースプレート取り外し工程）。
【００５１】
この後、ボックス２２内の中央スタッドねじ３１及び各固定用スタッドねじ３２にそれぞれ締め付けられている各取付金具固定ナット２４を緩める。これにより、取付金具２３が中央スタッドねじ３１を中心に回動可能な状態になる（取付金具固定解除工程）。
【００５２】
この後、中央スタッドねじ３１を中心に取付金具２３を回動させながら、ボックス２２に対する取付金具２３の傾きを調整して、取付金具２３の長さ方向を鉛直線に一致させる（回動体傾斜調整工程）。
【００５３】
この後、各取付金具固定ナット２４を締め付けて、ボックス２２に対する取付金具２３の位置を固定する（回動体位置固定工程）。
【００５４】
この後、上記のフェースプレート取付工程を行うことにより、フェースプレート２５を取付金具２３に保持させる。これにより、フェースプレート２５が鉛直線に対して傾いた状態が解消され、フェースプレート２５が鉛直線に沿って配置される。
【００５５】
図１３は、図９のフェースプレート２５が鉛直線に沿って配置された状態を示す正面図である。図１３に示すように、フェースプレート２５及び取付金具２３は、ボックス２２が鉛直線に対して傾いた状態であっても、ボックス２２に対する傾きの調整により鉛直線に沿って配置されている。これにより、乗場の意匠性の向上が図られている。
【００５６】
また、ボックス２２が乗場壁１に対して奥行き方向について傾いている場合には、各プレート保持用スタッド５１の少なくともいずれかの位置が乗場壁１の表面から空間部の奥側へ離れることとなる。従って、ボックス２２が乗場壁１に対して奥行き方向について傾いている場合には、各保持具６２の少なくともいずれか一方がプレート保持用スタッドねじ５１に係合されずに、取付金具２３に対するフェースプレート２５の取り付け状態が不安定になるおそれがある。
【００５７】
ボックス取付工程及び回動体取付工程を行った後に、ボックス２２が乗場壁１に対して奥行き方向について傾いている場合、プレート保持用スタッドねじ５１の位置は以下の手順で調整される。
【００５８】
まず、各スライダ４２を固定するスライダ固定ナット４３を緩める（スライダ固定解除工程）。
【００５９】
この後、取付金具本体４１に対して各スライダ４２をスライダ案内穴５２に沿ってスライド（変位）させることにより、ボックス２２の奥行き方向についての各スライダ４２の位置を調整する。これにより、乗場壁１の表面に対する各プレート保持用スタッドねじ５１の位置が、ボックス２２の奥行き方向について調整される（スライダ位置調整工程）。
【００６０】
図１４は、図３のフェースプレート２５が取付金具２３から取り外され、かつボックス２２が乗場壁１の表面に対して奥行き方向について角度θ２だけ傾いている状態を示す断面図である。また、図１５は、図１４のXV-XV線に沿った断面図である。図１４及び図１５に示すように、各プレート保持用スタッドねじ５１は、スライダ位置調整工程での取付金具本体４１に対する各スライダ４２の位置の調整により、乗場壁１の表面と平行な平面上に配置されている。即ち、乗場壁１の表面と各プレート保持用スタッドねじ５１との間の距離は、すべて等しくなっている。
【００６１】
スライダ位置調整工程後、各スライダ固定ナット４３を締め付けて、取付金具本体４１に対する各スライダ４２の位置を固定する（スライダ位置固定工程）。
【００６２】
この後、上記のフェースプレート取付工程を行うことにより、フェースプレート２５を取付金具２３に保持させる。
【００６３】
図１６は図１４の取付金具２３にフェースプレート２５を取り付けた状態を示す断面図、図１７は図１６のXVII-XVII線に沿った断面図である。図１６及び図１７に示すように、各プレート保持用スタッドねじ５１の位置が乗場壁１の表面と平行な平面上にあることから、各保持具６２と、対応するプレート保持用スタッドねじ５１との係合が不安定になることが防止される。これにより、フェースプレート２５は、取付金具２３に対して安定して取り付けられる。
【００６４】
このような機器箱１１では、ボックス２２内の中央スタッドねじ３１を中心に取付金具２３が回動可能で、ボックス２２に対する取付金具２３の位置が取付金具固定ナット２４により固定可能になっており、ボックス２２の開口部２１を覆うフェースプレート２５が取付金具２３に保持されるので、ボックス２２に対して取付金具２３を回動させることにより、ボックス２２の傾きにかかわらず、ボックス２２に対するフェースプレート２５の傾きを調整することができる。これにより、ボックス２２が鉛直線に対して傾いている場合であっても、鉛直線に対するフェースプレート２５の傾きを調整することができ、フェースプレート２５を鉛直線に沿って配置することができる。
【００６５】
また、取付金具２３は、取付金具本体４１と、取付金具本体４１に対してボックス２２の奥行き方向へ変位可能な一対のスライダ４２とを有し、各保持具６２が各プレート保持用スタッドねじ５１に個別に係合することにより、フェースプレート２５が一対のスライダ４２に保持されるので、乗場壁１の表面に対してボックス２２が奥行き方向について傾いた場合であっても、各スライダ４２を取付金具本体４１に対して変位させることにより、乗場壁１の表面に対する各スライダ４２の位置を調整することができる。これにより、各スライダ４２にフェースプレート２５をより確実に安定して保持させることができ、フェースプレート２５が取付金具２３から外れにくくすることができる。
【００６６】
また、フェースプレート２５は、取付金具２３のプレート保持用スタッドねじ５１に係合することによりカバー板６１を取付金具２３と一体に変位可能にする保持具６２を有しているので、簡単な構成で取付金具２３にフェースプレート２５を容易に取り付けることができる。
【００６７】
また、機器箱１１の取付方法では、ボックス２２を乗場壁１に取り付けた後、中央スタッドねじ３１を中心に取付金具２３を回動させながら、ボックス２２に対する取付金具２３の傾きを調整するので、ボックス２２の傾きにかかわらず、フェースプレート２５の傾きを容易に調整することができる。
【００６８】
なお、上記の例では、スライダ４２から突出する突出部がプレート保持用スタッドねじ５１となっているが、ねじである必要はなく、突出部を例えば単なる円柱部としてもよい。
【００６９】
また、上記の例では、ボックス２２の背板２２ｄに設けられた支持軸が中央スタッドねじ３１となっているが、ねじである必要はなく、支持軸を例えば単なる円柱部としてもよい。
【００７０】
また、上記の例では、一対のスライダ４２が取付金具本体４１に対してボックス２２の奥行き方向へ変位可能になっているが、スライダ４２がなくても、ボックス２２に対する取付金具２３の回動によって鉛直線に対するフェースプレート２５の傾きを調整することができるので、スライダ４２が取付金具本体４１に対して変位されないようになっていてもよい。
【００７１】
また、上記の例では、フェースプレート取付工程後、フェースプレート２５が傾いている場合に、フェースプレート２５を取付金具２３から取り外して、ボックス２２に対する取付金具２３の傾きの調整を行うようになっている（取付金具固定解除工程、回動体傾斜調整工程及び回動体位置固定工程を行うようになっている）が、ボックス取付工程後、フェースプレート取付工程前に、回動体取付工程において、ボックス２２に対する取付金具２３の傾きの調整を行う（回動体傾斜調整工程及び回動体位置固定工程をまとめて行う）ようにしてもよい。
【００７２】
また、上記の例では、乗場壁１に設けられる乗場操作盤６にこの発明が適用されているが、かご内の壁に設けられるかご内操作盤にこの発明を適用してもよい。
【符号の説明】
【００７３】
１１  機器箱（エレベータ用機器箱）、２１  開口部、２２  ボックス、３１  中央スタッドねじ（支持軸）、２３  取付金具（回動体）、２４  取付金具固定ナット（回動体固定具）、２５  フェースプレート、４１  取付金具本体（回動体本体）、４２  スライダ、４３  スライダ固定ナット（スライダ固定具）、５１  スライダ保持用スタッドねじ（突出部）、６１  カバー板、６２  保持具。
【図１】
2013220881.tif 000003
【図２】
2013220881.tif 000004
【図３】
2013220881.tif 000005
【図４】
2013220881.tif 000006
【図５】
2013220881.tif 000007
【図６】
2013220881.tif 000008
【図７】
2013220881.tif 000009
【図８】
2013220881.tif 000010
【図９】
2013220881.tif 000011
【図１０】
2013220881.tif 000012
【図１１】
2013220881.tif 000013
【図１２】
2013220881.tif 000014
【図１３】
2013220881.tif 000015
【図１４】
2013220881.tif 000016
【図１５】
2013220881.tif 000017
【図１６】
2013220881.tif 000018
【図１７】
2013220881.tif 000019